(57)【要約】【課題】吐水口部に先端器具を取付けた場合であっても、長期使用による水栓本体の吐水管が挿入される部分の削れを抑制し、ガタツキの増大や水栓本体との接続部からの漏水を防止することができる吐水管の接続構造を提供する。【解決手段】水栓本体の円筒形の吐水管接続部と吐水管とを袋ナットにて螺合する吐水管の接続構造であって、前記吐水管の給水口に環状の摺動部材を外嵌し、前記吐水管接続部に内挿することにより、接続部の水栓本体に挿入される部分に摺動部材を装着したことにより、浄水器やシャワー／整流切替装置などの先端器具の重量や先端器具の操作時にかかる荷重によって促進される長期使用による水栓本体の吐水管が挿入される部分の削れを、水栓本体と吐水管の摩擦係数の低減により抑制し、ガタツキの増大や水栓本体との接続部からの漏水を防止することができる。【選択図】  図１
2004332310.tif 000002
【特許請求の範囲】
【請求項１】
水栓本体の円筒形の吐水管接続部と吐水管とを袋ナットにて螺合する吐水管の接続構造であって、前記吐水管の給水口に環状の摺動部材を外嵌し、前記吐水管接続部に内挿することを特徴とする吐水管接続構造。
【請求項２】
前記摺動部材は、ポリアセタール樹脂であることを特徴とする請求項１に記載の吐水管接続構造。
【請求項３】
前記摺動部材の外径を吐水管接続部の内径と略同一としたことを特徴とする請求項１から２に記載の吐水管接続構造。
【請求項４】
前記摺動部材の内面に凸部を設け、前記吐水管の給水口外周端部に設けた凹部と嵌合させることを特徴とする請求項１から３に記載の吐水管接続構造。
【発明の詳細な説明】
【０００１】
【発明の属する技術分野】
本発明は、水栓本体に接続して水栓本体から供給された水（または湯）を吐出する吐水管の接続構造に関する。
【０００２】
【従来の技術】
従来より、吐水口に浄水器やシャワー／整流切替装置などの先端器具を取付けられた場合でも長期の使用に耐えうるように耐久性を向上させた吐水管が数多く提案されている。
【０００３】
このうち、特許文献１では、先端器具の抵抗により吐水管本体内の水圧が上昇し水栓本体から抜けようとする方向に大きな力が働かないように、吐水管本体の水栓本体との接続部を水栓本体側に押す方向（抜けようとする力を打ち消す方向）に水圧が作用するような構造にして、接続部に過剰な負荷がかからないようにした吐水管が開示されている。
【０００４】
【特許文献１】
特開２００２−９７６８１号公報
【０００５】
【発明が解決しようとする課題】
しかし、特許文献１の場合、水栓本体との接続部から水平方向に離れた吐水口部に先端器具が取付けられているため、先端器具の重量や先端器具の操作時にかかる荷重などにより、水栓本体の吐水管が挿入される部分に対して水栓本体に挿入される部分が傾斜しようとする。しかし、水栓本体には、この傾斜しようとする力を打ち消そうとする作用力は働かない。そして、吐水口部に上記荷重がかかった状態で水平方向に旋回されると、水栓本体の吐水管が挿入される部分の内面に接触する吐水管の水栓本体に挿入する部分の外面の面積が小さくなっているため、長期使用において水栓本体の吐水管が挿入される部分の内面の一部が集中的に削られて、その結果、ガタツキが増大し、さらには水栓本体と水密性が保てず漏水に至るといった問題があった。
【０００６】
本発明は、上記課題を解決するためになされたもので、本発明の目的は、吐水口部に先端器具を取付けた場合であっても、長期使用による水栓本体の吐水管が挿入される部分の削れを抑制し、ガタツキの増大や水栓本体との接続部からの漏水を防止することができる吐水管の接続構造を提供することにある。
【０００７】
【課題を解決するための手段・作用および効果】
上記目的を達成するために、請求項１では、水栓本体の円筒形の吐水管接続部と吐水管とを袋ナットにて螺合する吐水管の接続構造であって、前記吐水管の給水口に環状の摺動部材を外嵌し、前記吐水管接続部に内挿することを特徴とする。
【０００８】
上記発明によれば、接続部の水栓本体に挿入される部分に摺動部材を装着したことにより、浄水器やシャワー／整流切替装置などの先端器具の重量や先端器具の操作時にかかる荷重によって促進される長期使用による水栓本体の吐水管が挿入される部分の削れを、水栓本体と吐水管の摩擦係数の低減により抑制し、ガタツキの増大や水栓本体との接続部からの漏水を防止することができる。また、水栓本体と吐水管の摩擦係数の低減によりスムーズな旋回が可能となり、使用者の旋回操作の負担を軽減できる。
【０００９】
請求項２では、前記摺動部材は、ポリアセタール樹脂であることを特徴とする。
これにより、摺動部材は摺動性のよい樹脂製であるため、水栓本体の円筒形の吐水管接続部の内面の削れを抑制できるため、長期に亘る使用においても漏水することのない吐水管を提供することが可能となる。
【００１０】
請求項３では、前記摺動部材の外径を吐水管接続部の内径と略同一としたことを特徴とする。
上記発明によれば、摺動部材の外径を吐水管接続部の内径と略同一としたことにより、摺動部材を装着していない既設の吐水管が破損した場合でも水栓本体を取替えずに吐水管のみ交換することができる。
また、摺動部材が吐水管接続部の内面に当接しているため、漏水する恐れがない吐水管を提供することが可能となる。
【００１１】
請求項４では、前記摺動部材の内面に凸部を設け、前記吐水管の給水口外周端部に設けた凹部と嵌合させることを特徴とする。
【００１２】
上記発明によれば、摺動部材の内面に凸部を設け、吐水管の給水口外周端部に設けた凹部と嵌合させて装着したことにより、摺動部材の装着を強固にでき、大きな力が加わっても外れないようにすることできる。
【００１３】
【発明の実施の形態】
以下、本発明の実施形態に係る吐水管について図１〜図１０を用いて説明する。
まず、第一実施形態は次のような構成となる。
図１は第一実施形態を示す吐水管１の側面図、図２は第一実施形態の吐水管１を水栓本体１１に接続し、吐水口７に浄水器３０を接続した斜視図、図３は第一実施形態の吐水管１と水栓本体１１との接続部１５の断面図である。
【００１４】
吐水管１は、吐水管本体２と、水栓本体１１との接続部１５に配置された袋ナット４とストッパ５とパッキン６と摺動性を有する環状部材３で構成されている。
【００１５】
吐水管本体２は、黄銅製や銅製の管材で構成し、一端に給水口８、他端に吐水口７を備え、内部に給水口８と吐水口７とを結ぶ通水路９を形成している。また、吐水管本体２は、水平部を有し、給水口８と吐水口７は水平方向に所定の距離（例えば２２０ミリメートル）をおいて配置されている。そして、給水口８と吐水口７の近傍、かつ水平部の両側に湾曲部を設けることにより、給水口８の開口が上に向くように、吐水口７の開口が下に向くように構成している。これにより、吐水管１は水栓本体１１との接続部１５において、水平方向に旋回可能となり、使用者は自分の近くで吐水を使用できるようになる。
【００１６】
袋ナット４は、給水口８の近傍に回転自在に保持され、吐水管本体２を水栓本体１１に螺合により接続するためのものである。
【００１７】
ストッパ５は、変形円筒形状を成し、内面に形成した環状の凸部を吐水管本体２の環状の凹部に食い込ませて装着し、袋ナット４の底部で移動規制することにより吐水管本体２が水栓本体１１から抜け落ちるのを防止するものである。
【００１８】
パッキン６は、断面がＵ型の環状を成し、水栓本体１１と吐水管本体２とを水密に接続するためのものである。
【００１９】
環状部材３は、吐水管本体２の給水口８の最近傍部の径を小さくした部分に収納し、さらにその収納部の吐水管本体２の外面に形成した環状の凹部に環状部材３の内面に形成した環状の凸部を食い込ませて装着し、水栓本体１１に接続した状態において、水栓本体１１の水栓本体側挿入部１８に位置するように挿入されている。加えて、環状部材３の外径は、その近傍の吐水管本体２の外径とほぼ同一にしてある。
【００２０】
また、ストッパ５やパッキン６や環状部材３の材質を摺動性に優れた樹脂製やゴム製とすることにより、水栓本体１１に接続された状態で接続部１５を中心に水平方向に旋回自在となっている。流し台などの上方の壁面に配置された水栓本体１１には、図示しない水開閉弁が内蔵され、水栓本体１１の上方にその水開閉弁を操作するための開閉ハンドル１２が設けられ、水栓本体１１の取付壁側に壁面に配置された水道配管に接続する給水脚１３を有している。
【００２１】
そして、図２のように吐水管本体２を水栓本体１１に接続し、吐水口７に浄化カートリッジ２０と切替ハンドル３１などを装着した浄水器３０を取付けた状態では、浄水器３０自体の重量や浄水器３０内に溜まった水の重量、さらに、切替ハンドル３１で原水／浄水の吐水切替え操作を行う際にかかる荷重などにより、水栓本体側挿入部１８に対して吐水管本体２の水栓本体１１に挿入される部分が傾斜しようとする。同時に環状部材３も傾斜しようとするため、水栓本体側挿入部１８内面に接触する環状部材３外面の面積が小さくなる。この状態で、吐水管本体２を旋回されると、水栓本体側挿入部１８の内面が集中的に擦れる。しかし、環状部材３は摺動性のよい樹脂製であるため、水栓本体側挿入部１８の内面の削れを抑制できる。なお、環状部材３の材料は磨耗しにくく摺動性に優れたポリアセタール樹脂とするのが好ましい。
【００２２】
なお、吐水口７に整流／シャワーの切替装置などが取付けられた場合でも同様である。
【００２３】
つぎに、第二実施形態は次のような構成となる。
図４は第二実施形態を示す吐水管の側面図である
第一実施形態の吐水管１と異なる点は、吐水管本体２の途中に給水口８側より吐水口７側が高くなるような傾斜部を設けたことである。
【００２４】
これにより、第一実施形態と同様に水栓本体側挿入部１８の内面の削れを抑制できるだけでなく、第一実施形態の吐水管１に対して吐水口７の位置が高くなっているため、吐水口７に浄水器やシャワー／整流切替装置などの先端器具を取付けられた場合でも先端器具の吐水口の位置を高く保ち、洗い物のための空間を確保することができる。
【００２５】
なお、第一実施形態、第二実施形態において、図５のように吐水管本体２を吐水口７部にねじを切ったものにすると浄水器３０などの先端器具を強固に取付けることができる。
【００２６】
また、図６のように吐水管本体２の先端を吐水キャップ４０で構成して、吐水キャップ４０の吐水口７部にねじを切ったものにすると浄水器３０などの先端器具を強固に取付けることができるだけでなく、見栄えを向上させることができる。また、吐水キャップ４０を樹脂製とすれば熱湯吐水時の断熱効果を向上させ、やけどを防止することができる。
【００２７】
上記した構成により、第一実施形態、第二実施形態の吐水管１の水栓本体１１に接続した状態の吐水動作について説明する。
開閉ハンドル１２を操作することにより水開閉弁を開成し水を水栓本体１１から排出できるようにした状態から、切替ハンドル３１を回動操作し、図示しない切替弁を原水を吐水する経路に切替えると、給水口８から流入した水は通水路９、吐水口７、切替弁を経て、浄水器吐水口から水が原水のまま吐水される。つぎに、切替ハンドル３１を約９０°回動操作し、切替弁を浄水を吐水する経路に切替えると、給水口８から流入した水は通水路９、吐水口７、切替弁、浄水カートリッジ２０を経て、浄水器吐水口から水が浄水として吐水される。このようにして、切替ハンドル３１により水の吐水の切替が可能となる。
【００２８】
なお、図２は、水栓本体１１を水開閉弁が１つの単水栓のものとしたが、限定されるものではなく湯水を所望の温度に混合できるようにした湯水混合弁を備えた湯水混合栓のものなどでもよい。
【００２９】
つぎに、第三実施形態は次のような構成となる。
図７は第三実施形態を示す吐水管１０１の側面図、図８は第三実施形態の吐水管１０１を水栓本体１１１に接続した斜視図、図９は第三実施形態の吐水管１０１と水栓本体１１１との接続部１１５の断面図、図１０は第三実施形態の吐水管１０１のブロック図である。
【００３０】
吐水管１０１は、吐水管本体１０２と、水栓本体１１１との接続部１１５に配置された袋ナット４とストッパ５とパッキン６と環状部材３で構成されている。
【００３１】
吐水管本体１０２は、一端に給水口１０８、他端に吐水口１０７、内部に浄水カートリッジ１２０、水栓本体１１１から供給された水をそのまま吐出する経路と浄水カートリッジ１２０を経由して吐出する経路に切替える切替弁１３２とを備え、給水口１０８と吐水口１０７とを結ぶ複数の通水路を形成している。複数の通水路は、給水口１０８から浄水カートリッジ１２０の原水入口に連通する給水路１４１、浄水カートリッジ１２０の浄水出口から切替弁１３２に連通する浄水路１４３、給水路１４１の途中から切替弁１３２に連通する原水路１４２、切替弁１３２からの浄水を吐水口１０７から整流状に吐水するための浄水整流吐水路１４４、切替弁１３２からの原水を吐水口１０７からシャワー状に吐水するための原水シャワー吐水路１４５、切替弁１３２からの原水を吐水口１０７から整流状に吐水するための原水整流吐水路１４６である。
【００３２】
また、吐水管本体１０２の側面には、切替弁１３２を操作するための切替ハンドル１３１が配置されている。
【００３３】
また、給水口１０８と吐水口１０７は、水平方向に所定の距離（例えば２２０ミリメートル）をおいて配置されるとともに、ほぼ同じ高さになるように配置されている。そして、給水口１０８と吐水口１０７の近傍に湾曲部を設けることにより、給水口１０８の開口が上に向くように、吐水口１０７の開口が下に向くように構成している。これにより、使用者は自分の近くで水を使用できるようになり、その上、洗い物のための空間を確保することができる。
【００３４】
袋ナット４は、給水口１０８の近傍に回転自在に保持され、吐水管本体１０２を水栓本体１１１に螺合により接続するためのものである。
【００３５】
ストッパ５は、変形円筒形状を成し、内面に形成した環状の凸部を吐水管本体１０２の環状の凹部に食い込ませて装着し、袋ナット４の底部で移動規制することにより吐水管本体１０２が水栓本体１１１から抜け落ちるのを防止するものである。
【００３６】
パッキン６は、断面がＵ型の環状を成し、水栓本体１１１と吐水管本体１０２とを水密に接続するためのものである。
【００３７】
環状部材３は、吐水管本体１０２の給水口１０８の最近傍部の径を小さくした部分に収納し、さらにその収納部の吐水管本体１０２の外面に形成した環状の凹部に環状部材３の内面に形成した環状の凸部を食い込ませて装着し、水栓本体１１１に接続した状態において、水栓本体１１１の水栓本体側挿入部１１８に位置するように挿入されている。加えて、環状部材３の外径は、その近傍の吐水管本体１０２の外径とほぼ同一にしてある。
【００３８】
また、ストッパ５やパッキン６や環状部材３の材質を摺動性に優れた樹脂製やゴム製とすることにより、水栓本体１１１に接続された状態で接続部１１５を中心に水平方向に旋回自在となっている。流し台などの上方の壁面に配置された水栓本体１１１には、図示しない湯水混合弁が内蔵され、水栓本体１１１の上方にその湯水混合弁を操作するための開閉ハンドル１１２が設けられ、水栓本体１１１の取付壁側に壁面に配置された水道配管に接続する給水脚１１３、給湯脚１１４を有している。
【００３９】
また、吐水管本体１０２の少なくとも給水口１０８付近は、剛性の高い材料（例えば青銅や黄銅）で構成するのが好ましい。
【００４０】
そして、図８のように水栓本体１１１に接続した状態では、吐水管本体１０２や浄水カートリッジ１２０自体の重量や吐水管本体１０２内に溜まった水の重量、さらに、切替ハンドル１３１で原水／浄水の吐水切替え操作を行う際にかかる荷重などにより、水栓本体側挿入部１１８に対して吐水管本体１０２の水栓本体１１１に挿入される部分が傾斜しようとする。同時に環状部材３も傾斜しようとするため、水栓本体側挿入部１８内面に接触する環状部材３外面の面積が小さくなる。この状態で、吐水管本体２を旋回されると、水栓本体側挿入部１１８の内面が集中的に擦れる。しかし、環状部材３は摺動性のよい樹脂製であるため、水栓本体側挿入部１１８の内面の削れを抑制できる。なお、環状部材３の材料は磨耗しにくく摺動性に優れたポリアセタール樹脂とするのが好ましい。
【００４１】
上記した構成により、第三実施形態の吐水管１０１の水栓本体１１１に接続した状態の吐水動作について説明する。
開閉ハンドル１３１を操作することにより湯水混合弁で温調された湯、水または混合水（以下混合水とする）を水栓本体１１１から排出する状態で、まず、切替ハンドル１３１を回動操作し、切替弁１３２を原水路１４２と原水シャワー吐水路１４５を連通する状態に切替えると、給水口１０８から流入した混合水は給水路１４１、原水路１４２、切替弁１３２、原水シャワー吐水路１４５を経て、吐水口１０７から混合水が原水のままシャワー状に吐水される。つぎに、切替ハンドル１３１を約９０°回動操作し、切替弁１３２を原水路１４２と原水整流吐水路１４６を連通する状態に切替えると、給水口１０８から流入した混合水は給水路１４１、原水路１４２、切替弁１３２、原水整流吐水路１４６を経て、吐水口１０７から混合水が原水のまま整流状に吐水される。さらに、切替ハンドル１３１を約９０°回動操作し、切替弁１３２を浄水路１４３と浄水整流吐水路１４４を連通する状態に切替えると、給水口１０８から流入した混合水は給水路１４１、浄水カートリッジ１２０、浄水路１４３、切替弁１３２、浄水整流吐水路１４４を経て、吐水口１０７から混合水が浄水として整流状に吐水される。このようにして、切替ハンドル１３１により切替弁１３２を駆動させることにより、混合水の吐水の切替が可能となる。
【００４２】
なお、図８は、水栓本体１１１を湯水を所望の温度に混合できるようにした湯水混合弁を備えた湯水混合栓のものとしたが、限定されるものではなく水開閉弁が１つの単水栓のものなどでもよい。
【００４３】
なお、以上の説明において示した数値、配置位置、形状、材質などは一例であって、限定されるものではない。
【００４４】
パッキン６の断面はＵ型のものに限らず、例えば断面が円型のＯリングにした場合には、水密性が増して高水圧がかかっても漏水に対する信頼性が向上する。
【００４５】
また、切替弁１３２は、機械的に駆動されるもののみならず、電気的に駆動される電磁弁などを用いてもよく、その場合、切替ハンドル１３１はスイッチなどの操作手段を用いてもよい。
【００４６】
また、上記した実施形態では、水栓本体１１、１１１を給水脚１３、１１３、給湯脚１１４を介して壁に配置した壁付きタイプの場合を示したが、カウンター上などに水栓本体を配置した台付きタイプにも応用が可能である。
また、流し台のみならず、洗面台や浴室に設置される場合にも適用することが可能である。
【図面の簡単な説明】
【図１】本発明の第一実施形態を示す吐水管の側面図である。
【図２】第一実施形態の吐水管を水栓本体に接続し、吐水口に浄水器を接続した状態の斜視図である。
【図３】第一実施形態の吐水管と水栓本体との接続部の断面図である。
【図４】本発明の第二実施形態を示す吐水管の側面図である。
【図５】第一実施形態および第二実施形態の吐水管の吐水口部の別の例を示す側面図である。
【図６】第一実施形態および第二実施形態の吐水管の吐水口部の別の例を示す側面図である。
【図７】本発明の第三実施形態を示す吐水管の側面図である。
【図８】第三実施形態の吐水管を水栓本体に接続し、吐水口に浄水器を接続した状態の斜視図である。
【図９】第三実施形態の吐水管と水栓本体との接続部の断面図である。
【図１０】第三実施形態を示す吐水管のブロック図である。
【符号の説明】
１、１０１…吐水管
２、１０２…吐水管本体
３…環状部材
４…袋ナット
５…ストッパ
６…パッキン
７、１０７…吐水口
８、１０８…給水口
９…通水路
１１、１１１…水栓本体
１２、１１２…開閉ハンドル
１３、１１３…給水脚
１５、１１５…接続部
１８、１１８…水栓本体側挿入部
２０、１２０…浄水カートリッジ
３０…浄水器
３１、１３１…切替ハンドル
４０…吐水キャップ
１１４…給湯脚
１３２…切替弁
１４１…給水路
１４２…原水路
１４３…浄水路
１４４…浄水整流吐水路
１４５…原水シャワー吐水路
１４６…原水整流吐水路
【図１】
2004332310.tif 000003
【図２】
2004332310.tif 000004
【図３】
2004332310.tif 000005
【図４】
2004332310.tif 000006
【図５】
2004332310.tif 000007
【図６】
2004332310.tif 000008
【図７】
2004332310.tif 000009
【図８】
2004332310.tif 000010
【図９】
2004332310.tif 000011
【図１０】
2004332310.tif 000012